(57)【特許請求の範囲】
【請求項１】
遊戯島内で遊戯媒体貸出機から送り出され搬送されてくる紙幣を受け入れて紙幣の長手方向に搬送する紙幣搬送装置と、
ストック部のストック板に対して移動可能に設けられ、前記紙幣搬送装置によって搬送されてくる紙幣を取り込んで一時保留した後前記ストック部のストック板へ押し出し、且つ前記ストック部のストック板に積層された紙幣を押圧保持する紙幣一時保留装置と、
前記ストック部のストック板に積層された紙幣のうちの最下部の紙幣を繰り出して払出口へ必要に応じて繰り出す繰出し装置とを備えた紙幣回収払出し装置であって、
前記ストック部のストック板に蓄積される、紙幣の一端をはみ出さないように規制する整列用突出体を前記ストック板から出没自在に突出させ前記紙幣一時保留装置の前記ストック板への接近に伴って前記整列用突出体の突出長さを減少させるようにしたことを特徴とする紙幣回収払出し装置。
【請求項２】
遊戯島内で遊戯媒体貸出機から送り出され搬送されてくる紙幣を受け入れて紙幣の長手方向に搬送する紙幣搬送装置と、
ストック部のストック板に対して移動可能に設けられ、前記紙幣搬送装置によって搬送されてくる紙幣を取り込んで一時保留した後前記ストック部のストック板へ押し出し、且つ前記ストック部のストック板に積層された紙幣を押圧保持する紙幣一時保留装置と、
前記ストック部のストック板に積層された紙幣のうちの最下部の紙幣を繰り出して払出口へ必要に応じて繰り出す繰出し装置とを備えた紙幣回収払出し装置であって、
前記紙幣一時保留装置を前記ストック部のストック板から離れる方向へ付勢する付勢手段を設けてストック部のストック板へ積層された紙幣への押圧力を軽減するようにしたことを特徴とする紙幣回収払出し装置。
【発明の詳細な説明】
【０００１】
【発明の属する技術分野】
本発明は例えばパチンコ店などに設置された台間玉貸機に投入された紙幣を回収して必要に応じて払出す紙幣回収払出し装置に関する。
【０００２】
【従来の技術】
従来、例えばパチンコ店などの遊戯店では、図１８に示すようにパチンコ台などの遊戯台１、１、…が多数直線状に二列、背中合わせに一定空間をおいて平行に並んで配列されて、いわゆるパチンコ島（遊戯島）２を構成している。
【０００３】
そして、この遊戯島では、遊戯台１と遊戯台１の間ごとに玉貸機（遊戯媒体貸出機）３、３、…が一台ずつ設置されている。遊戯媒体貸出機３、３、…には、千円などの小額紙幣が投入でき、各遊戯媒体貸出機３、３、…に投入された小額紙幣は、二列の遊戯台列間の空間に沿って設置された紙幣搬送装置４に取込まれた後この紙幣搬送装置４で水平方向に搬送されて、島端あるいは中央に設けられた回収金庫５へ搬送されるように構成されていた。
【０００４】
また、島端あるいは中央には、１万円紙幣や五千円紙幣を遊戯媒体貸出機で使用できる千円紙幣に両替する両替機６が設置されていた。
【０００５】
しかし、このように回収金庫５と両替機６を別々に設けるのでは場所をとり、また、両替機６は両替用の千円紙幣の不足がしばしば生じ、その都度店員が補給しなければならず面倒である。
【０００６】
このような面倒をなくすために、近年島端に遊戯媒体貸出機に投入された千円紙幣を回収して両替用として払い出す紙幣回収払出し機を設置することが行われている。
【０００７】
【発明が解決しようとする課題】
このように投入された紙幣を回収して蓄積部に蓄積する場合、従来では、図１９に示すように紙幣蓄積部１０への紙幣Ａの送り込み方向の先端（紙幣の長手方向の先端）側にストッパ１１を設けてそれより先へ紙幣Ａが行かないようにして整列させているが、紙幣送り込みの邪魔になるから、送り込みの後端側には右手へ紙幣がはみ出さないように規制するストッパを突設できない。このため、蓄積部１０で紙幣Ａがきちんと整列されない場合が生じる。
【０００８】
このため、図１９に示すように紙幣を幅方向の奥側へ紙幣Ａをへ引込んで下方へ払出す場合に、紙幣Ａがきちんと整列していないと、払出しが円滑に行えず、詰まったりする不都合がある。
【０００９】
また、この紙幣蓄積部に両替用として充分なだけの紙幣がない場合、店員が紙幣をこの紙幣蓄積部へ外からいれて補充する必要があるが、片側にしかストッパがないと、紙幣をきれいな整頓状態にセットしにくかった。
【００１０】
また、紙幣Ａは上方から蓄積のためにバネ１２で押圧する必要があるが、この押圧力が強いと、大きな摩擦力が生じて払出しのために紙幣を１枚ずつ繰出すことができなくなる不都合があった。
本発明はこのような問題を解決した紙幣回収払出し装置を提供することを目的としている。
【００１１】
【課題を解決するための手段】
前記目的を達成すえるために、本発明の請求項１では、
遊戯島内で遊戯媒体貸出機から送り出され搬送されてくる紙幣を受け入れて紙幣の長手方向に搬送する紙幣搬送装置と、
ストック部のストック板に対して移動可能に設けられ、前記紙幣搬送装置によって搬送されてくる紙幣を取り込んで一時保留した後前記ストック部のストック板へ押し出し、且つ前記ストック部のストック板に積層された紙幣を押圧保持する紙幣一時保留装置と、
前記ストック部のストック板に積層された紙幣のうちの最下部の紙幣を繰り出して払出口へ必要に応じて繰り出す繰出し装置とを備えた紙幣回収払出し装置であって、
前記ストック部のストック板に蓄積される、紙幣の一端をはみ出さないように規制する整列用突出体を前記ストック板から出没自在に突出させ前記紙幣一時保留装置の前記ストック板への接近に伴って前記整列用突出体の突出長さを減少させるようにしている。
【００１２】
このようにしたので、紙幣の送込み側の後端を送込み動作に支障を生じることなくはみ出さないように規制することができ、外から紙幣を補充する場合も整頓状態にセットできる。
【００１３】
また、本発明の請求項２では、
遊戯島内で遊戯媒体貸出機から送り出され搬送されてくる紙幣を受け入れて紙幣の長手方向に搬送する紙幣搬送装置と、
ストック部のストック板に対して垂直方向に移動可能に設けられ、前記紙幣搬送装置によって搬送されてくる紙幣を取り込んで一時保留した後前記ストック部のストック板へ押し出し、且つ前記ストック部のストック板に積層された紙幣を押圧保持する紙幣一時保留装置と、
前記ストック部のストック板に積層された紙幣のうちの最下部の紙幣を繰り出して払出口へ必要に応じて繰り出す繰出し装置とを備えた紙幣回収払出し装置であって、
前記紙幣一時保留装置を前記ストック部のストック板から離れる方向へ付勢する付勢手段を設けてストック部のストック板へ積層された紙幣への押圧力を軽減するようにしている。
【００１４】
このようにして押圧力を小さくしたので、摩擦力も小さくなり、円滑な繰出しができる。
【００１５】
【発明の実施の形態】
以下、図面に基づいて本発明の紙幣回収払出し装置の実施の形態を説明する。
【００１６】
図１、２は本発明の一実施形態を示している。
紙幣回収払出し装置２０は、縦長の四角形箱状の筐体３０内に、紙幣搬送装置４から送られてくる紙幣Ａを受取って下方へ送り出す受取り送出し装置４０と、この受取り送出し装置４０から下方へ送り出された紙幣Ａを受入れて蓄積し、両替要求に応じて払出す蓄積払出し装置７０とが取付けられている。
【００１７】
受取り送出し装置４０の平板状の取付け用パネル４１には、中央に矩形穴４１ａが設けられていて、この矩形穴４１ａの下方の内壁に水平な基台４２がその背面板において固定されている。
【００１８】
この基台４２の上面には、遊戯島内の多数の遊戯媒体貸出機から送り出されて、立位状態で長手方向の一端を先頭にして水平方向の紙幣搬送装置４によって送られてくる紙幣Ａを、そのままの姿勢で受入れて紙幣の厚さ方向に両側からコンベヤベルト（図示せず）で挟持して取込む紙幣受取り部４３と、この受取り部４３に連続して、紙幣を９０°捻じって長手方向の先端から下方へ垂直に送り出す姿勢変換部４４とが、固定されている。この姿勢変換部４４は立位状態の紙幣を９０°下方へ捻じる湾曲通路部４５を備えていて、この湾曲通路部４５の下端の出口部４６の上部に送出しローラー（図示せず）を備えている。
【００１９】
前記基台４２の側面には、図４、５に示すようにコ字状のアングル５０が固定され、このアングル５０に回動自在に後述するロック部材６０が取付けられている。
【００２０】
図１に示すように、紙幣回収両替装置２０の筐体３０の背面板３１には、取付け用パネル４１の矩形穴４１ａより寸法の大きい矩形の穴３１ａが設けられている。
【００２１】
図１、２に示すように、水平な紙幣搬送装置４の先端出口部４ａの高さに紙幣受取り部４３の受入れ通路部４３ａが合致するように取付け用パネル４１の高さを合わせて、取付け用パネル４１を筐体３０の背面板３１の内壁にネジ止めなどの適宜手段で固定する。
【００２２】
図２、３に示すように、前記蓄積払出し装置７０は、中空長方体状のケース７１を備え、ケース７１の上板７１ａからは上方に受入れ部８０が突設されている。
【００２３】
ケース７１内には、受取り送出し装置４０の出口部４６から下方へ送り出された紙幣を前記受入れ部８０で受入れて下方へ搬送した後、水平方向に長手方向の先端側から引き込んで紙幣を水平状態に積層して蓄積するストック部１２０と、このストック部１２０に蓄積された紙幣のうちの最小部の紙幣を両替要求に応じて払出し口７３へ繰出す繰出し部２００が設けられている。
【００２４】
ケース７１の前面板７１ｂには、前記ストック部１２０に蓄積された紙幣を店員が手で取り出したり、あるいは紙幣を補充するための開口７２が設けられ、また、その下方には繰出し部２００で繰出された両替用の紙幣を払出す払出し口７３が設けられている。
【００２５】
図６、７、８に示すように、蓄積払出し装置７０の受入れ部８０は、ケース７１の上板７１ａの取付け穴７４に上方へ突出するように取付けられる本体９０と、この本体９０内に摺動自在に嵌合され、本体９０より上方へ突出可能な紙幣受入れ装置１１０とを備えている。
【００２６】
本体９０は上下に開口した四角形箱状で、対向した互いに平行な側壁９１ａ、９１ｂ間に水平に回動軸９２が回動自在に取付けられ、この回動軸９２の中央には取込みローラ９３が固定されている（図１０）。また同様の回動軸９４に、取込みローラ９３に圧接されて紙幣を取込む圧接ローラ９５が回動自在に取付けられている。
回動軸９２には、側壁９１ｂの外側においてプーリ９６が固定されている。
【００２７】
図１０に示すように、ケース７１内の互いに平行なフレーム側板（図示せず）間に、回動軸９７が回動自在に取付けられている。この回動軸９７の端部に歯車９８及びプーリ９９が固定されている。
【００２８】
前記本体９０のプーリ９６とこの下方のプーリ９９間に伝達ベルト１００が架け渡されている。
フレーム側板には駆動モータ１０１が取付けられていて、この駆動モータ１０１の回転力が歯車１０２、１０３、１０４（図１０）を介して前記歯車９８へ伝達されている。この回転力は前記伝達ベルト１００で本体９０のプーリ９６へ伝達され、このため取込みローラ９３は紙幣を下方へ取込むように回転する。
【００２９】
紙幣受入れ装置１１０は、本体９０内に摺動自在に嵌合されるように、且つ前記取込みローラ９３及び圧接ローラ９５に接触しないように対向する互いに平行な側板１１０ａ、１１０ｂには下端から上端近くまでの縦長の切欠き１１１、１１２が設けられている。
【００３０】
また、本体９０の側壁９１ｃの外面には、図７に示すように、中央上部に上下方向の軸穴１０５ａを有する突条１０５を備えた取付け板１０６が固定されている。この取付け板１０６には上下方向に２つのスリット１０７、１０７が設けられている。
【００３１】
紙幣受入れ装置１１０の側板１１０ｂの外面には、脚板１１４ａ、１１４ａが前記スリット１０７、１０７内に位置する紙幣受入れ装置１１０側の一側面が開口した箱状の操作ケース１１４が固定されている。
【００３２】
前記突条１０５の軸穴１０５ａに摺動自在に嵌入された垂直軸１１５（図６）の上下端部が、操作ケース１１４に固定されている。
【００３３】
操作ケース１１４の側板１１４ｂには操作用把手１１６（図８）が固定されている。従って、この操作用把手１１６に指をかけて上方へ紙幣受入れ装置１１０を前記紙幣受取り部の送出し装置４０の下端の出口部４６に達するまで引上げることができる。
【００３４】
紙幣受入れ装置１１０の上端には、水平方向外方へ張り出したフランジ部１１７が設けられている。フランジ部１１７には前記出口部４６の下面の嵌合穴（図示せず）に嵌合するための複数の突起１１８が突設されている。
【００３５】
前記したように、図４、５に示すように、湾曲通路部４５の下端には、コ字状のアングル５０に軸６１によって水平面に沿って回動自在にロック部材６０が取付けられている。
【００３６】
このロック部材６０は、断面コ字状であって、その側板６０ａの内面には、係合金具６２が側板６０ａのスリット６０ｂに沿って摺動自在に取付けられている。
【００３７】
図４に示すように、この係合金具６２はバネ６３によって軸６１方向へ付勢されている。係合金具６２の先端にはテーパー部６４ａを有する係合突片６４が設けられている。
【００３８】
前記アングル５０には、この係合突片６４が係合される上下方向の係合棒６５ａが取付けられた取付け金具６５が固定されている。
【００３９】
従って、ロック部材６０を図４の状態から軸６１を中心に時計回りに回動させると、テーパー部６４ａが係合棒６５ａに押し付けられて、バネ６３の付勢力に抗して軸６１から離れる方向に係合金具６２が移動した後、係合棒６５がテーパー部６４ａを乗り超えて凹部６４ｂに係合してロック状態となる。ロック状態を解除するには、スリット６０ｂから外方へ突出した操作片６６を指で軸６１から離れる方向に押して解除する。
【００４０】
ロック部材６０の先端には、紙幣受入れ装置１１０の上端のフランジ部１１７を受取り送出し装置４０の出口部４６の下面まで押上げた状態で、フランジ部１１７の下面を下側から支える受け台６７が設けられている。
【００４１】
従って、図１、２に示すように、前記筐体３０内壁に、受取り送出し装置４０の下方において、取付け台１３を取付けた後、蓄積払出し装置７０のケース７１を取付け台１３の上面に固定し、受取り送出し装置４０の下端の出口部４６の下面に達するまで、紙幣受入れ装置１１０を上方へ摺動させて、ロック部材６０でロックすればよいから、紙幣搬送装置４の高さが異なっていても、蓄積払出し装置７０の取付け高さの調整をすることなく、出口部４６と紙幣受入れ装置１１０を隙間を生じることなく連結でき、この部分で紙幣詰まりなども生じなくなる。
【００４２】
このようにして、紙幣搬送装置４によって水平方向に搬送されてくる紙幣は、受取り送出し装置４０を経て、蓄積払出し装置７０の受入れ部８０で下方へ取り込まれて、次に説明するストック部１２０へ蓄積される。
【００４３】
即ち、図９〜１２に示すように、前記回動軸９７の下方には、ストック部１２０の水平なストック板１２１の側方において、水平方向の回動軸１２５がフレーム側板（図示せず）間に回動自在に取付けられている。
【００４４】
上方の回動軸９７に固定された２つのプーリ１２６、１２６と、下方の回動軸１２５に固定された２つのプーリ１２７、１２７間には２本の搬送ベルト１２８、１２８が架け渡されている。
【００４５】
図９〜１２に示すように、ストック部１２０の水平なストック板１２１と上方のフレーム上板（図示せず）間には、水平方向の一端側において紙幣の長手方向の先端側をはみ出さないように規制するための支柱ストッパ１３０が垂直方向に取付けられている。
【００４６】
この支柱ストッパ１３０に、前記受入れ部８０から受入れて紙幣の長手方向の一端側から下方へ搬送されてくる紙幣を水平方向に引込んで一時保留する紙幣一時保留装置１３５が、その一端側において上下方向に摺動自在に取付けられている。
【００４７】
紙幣一時保留装置１３５は、図１４、１５に示すように、上板１３６と両側板１３７、１３７から成る断面コ字状の枠体１３８を備え、この枠体１３８内に水平方向に引込んだ紙幣Ａの幅方向の両端を下側から受ける内方への曲げ縁部１３７ａ、１３７ａが側板１３７、１３７の下端に設けられている。
【００４８】
図１１に示すように、この枠体１３８の両側板１３７、１３７間には回動軸１４０、１４１、１４２、１４３が回動自在に取付けられ、各回動軸１４０、１４１、１４２、１４３には、それぞれプーリ１４４、１４５、１４６、１４７が２個ずつ固定されている。
【００４９】
また、フレーム側板間には、回動軸１４８、１４９、１５０、１５１、１５２が回動自在に取付けられ、各回動軸１４８、１４９、１５０、１５１、１５２には、それぞれプーリ１５３、１５４、１５５、１５６、１５７が２個ずつ固定されている。
【００５０】
これらの各２個ずつのプーリ１４４、１４５、１４６、１４７、１５３、１５４、１５５、１５６、１５７間に２本の搬送ベルト１６０が図１０、１１に示すように架け渡されている。
【００５１】
図１０に示すように、回動軸１５２には前記歯車１０４が固定されていて、前記駆動モータ１０１の回転力が前記したように歯車１０２、１０３を介して伝達されている。このため搬送ベルト１６０は矢印方向に動き、搬送ベルト１２８との間に紙幣を挟んで下方へと移動させる。
【００５２】
図１１に示すように、前記枠体１３８の回動軸１４０側の端部には、プーリ１４４の外側において、支持アーム１６１が突設されていて、この支持アーム１６１に回動軸１６２が回動自在に取付けられ、この回動軸１６２にプーリ１６３が固定されている。
【００５３】
また、枠体１３８の両側板１３７、１３７間には、回動軸１６４が回動自在に取付けられ、この回動軸１６４にプーリ１６５が固定されている。前記プーリ１６３とプーリ１６５間にはベルト１６６が架け渡されている。このベルト１６６は、図１１に示すように、右下のプーリ１４４に架け渡された前記搬送ベルト１６０に圧接されて中間部が円弧状に湾曲して搬送ベルト１６０に従動する。
【００５４】
また、図１０、１１に示すように、前記支持アーム１６１からは、前記右下のプーリ１４４の下側に紙幣をガイドする円弧状のガイド１６１ａが突設されている。
【００５５】
前記枠体１３８は前記したように支柱ストッパ１３１に上下方向に摺動自在に取付けられているため、その自重によって、また、搬送ベルト１６０の駆動によって左端のプーリ１４７に作用する下方への力によって、枠体１３８の側板１３７、１３７の下端がストック部１２０のストック板１２１に接するか、あるいはストック板１２１に紙幣が積層された状態では、最上部の紙幣の上面に接した状態となっている。
【００５６】
前記受入れ部８０で受入れられた紙幣は、そのまま長手方向の一端を下に向けたままの状態で搬送ベルト１２８と搬送ベルト１６０とで厚さ方向の両側から保持されて下降し、前記ガイド１６１ａによって右下のプーリ１４４の位置で搬送ベルト１６０と下側のベルト１６６で挟まれて、枠体１３８の中へ水平方向に引込まれ、紙幣Ａは長手方向の先端が支柱ストッパ１３０に当接し、図１４に示すように紙幣Ａの幅方向の両端が枠体１３８の両側板１３７、１３７の下端の曲げ縁部１３７ａ、１３７ａに乗った状態で停止する。後続する紙幣はさらにその前の紙幣の上に積層される。
【００５７】
前記受入れ部８０の本体９０内には紙幣の通過を検出するセンサ８１（図１１）が設けてあり、一定時間以上紙幣が検出されない場合、制御部からの指令で、枠体１３８内に設けられた押出し装置１７０が作動して、図１５に示すように枠体１３８内にある紙幣Ａを下方へ押し出す。紙幣は押されると、少し湾曲して幅方向の両端が前記曲げ縁部１３７ａ、１３７ａから外れて、ストック部１２０の水平なストック板１２１の上、あるいはこのストック板１２１にある紙幣の上に乗る。
【００５８】
このようにして紙幣搬送装置４から水平方向に送られて来る紙幣はストック部１２０のストック板１２１に順次積層され、その上に枠体１３８が乗った状態で保持される。
【００５９】
この積層された紙幣のうち最下部にある紙幣が後述するように両替要求に応じて繰り出されるが、積層された紙幣の上に乗る枠体１３８による下方への押圧力が大きいと、この繰り出し動作が摩擦力のために困難になる。
【００６０】
このため、図１２に示すように、前記支柱ストッパ１３０の上部にボビン１７４を固定し、このボビン１７４に巻いた板バネ１７５の下端を枠体１３８の端部に固定して、上方へ引き上げる方向に付勢している。これによって、積層された紙幣への押圧力が小さくなり、紙幣繰り出し動作を妨げないようにしている。
【００６１】
なお、この付勢手段は前記した板バネの代わりにコイルバネなどでも代行できる。
【００６２】
枠体１３８からストック板１２１へ押し出された紙幣Ａは、その長手方向の先端は左側の支柱ストツパ１３０でそれより左方（図１１において）へ動けないように規制されているが、後端がそれより右方へ動けないように規制するための上下方向の整列用突出体１８０が、ストック板１２１の穴から上方へ出没自在に設けられている。この整列用突出体１８０は付勢手段（図示せず）によって上方へある高さまで突出するように付勢されている。
【００６３】
前記枠体１３８の右端下部には、整列用突出体１８０と同位置において、整列用突出体１８０の上下方向の切欠き１８１に挿入される上下方向の突出板１８５が下方へ向かって突出されている。
【００６４】
図１６に示すように、整列用突出体１８０の切欠き１８１の下端部に係合片１８２が設けてあり、ストック板１２１上に積層された紙幣の厚さが小さく枠体１３８が下位にある場合には、前記突出板１８５の下端部の係合部１８６が係合して整列用突出体１８０を下方へ押し下げている。そして、積層された紙幣の厚さが大きくなって枠体１３８が上位に移動すると整列用突出体１８０は付勢手段によって上昇する。
【００６５】
枠体１３８がさらに上方へ移動すると、整列用突出体１８０の上端の係合片１８３に突出板１８５の係合部１８７が下側から係合して整列用突出体１８０を前記付勢手段で上昇できる高さよりもさらに上方へ引き上げる。
【００６６】
このように紙幣の長手方向の後端は整列用突出体１８０及び突出板１８５によってはみ出さないようにされ、左方の支柱ストッパ１３１との間に整列状態で蓄積される。
【００６７】
なお、前記整列用突出体１８０に付勢手段を設けず、整列用突出体１８０と前記突出板１８５とを常に係合した状態にし、突出板１８５の上下動に従って整列用突出体１８０が上下動するようにしてもよい。
【００６８】
このように蓄積された紙幣は、ケース７０の前面板７１ｂの開口７２から手で取り出すこともできる。また、両替用として開口７２から紙幣を補充のために入れることもできる。
【００６９】
このようにストック板１２１と枠体１３８の間に積層状態で蓄積された紙幣のうちの最下位の紙幣を両替要求に応じて、図１３に示す繰出し部２００によって紙幣の幅方向の奥側へ引き込んで湾曲通路２０１を通って下方の払出し口７３へ払出すことができる。
【００７０】
即ち、図９、１３に示すように、ストック板１２１の３つの穴１２１ａから上方へ送出しローラ２０２の一部が突出してストック板１２１の下に設けられ、ストック板１２１の奥の下方には繰出しローラ２０３、その上方に圧接ローラ２０４が設けられていて、最下位の紙幣は送出しローラー２０２で奥へと紙幣の幅方向に送出され、繰出しローラ２０３と圧接ローラ２０４で挟まれて湾曲通路２０１内へ引込まれて、さらに湾曲通路２０１内に一部が突出した送りローラ２０５などによって払出し口７３へ送られる。
【００７１】
この繰出し部２００の動作を図１７によってさらに詳しく説明する。
前記送出しローラ２０２はモータ２０６の回転を伝達ベルト２０７によって伝達されて回転する。送出しローラ２０２の回転は伝達ベルト２０８によって繰出しローラ２０３へ伝達される。繰出しローラ２０３の回転は伝達ベルト２０９によって送りローラ２０５へ伝達される。
【００７２】
湾曲通路２０１のさらに下流には払出しローラ２１０が設けてある。
前記送りローラ２０５の回転は、歯車２１１、２１２を介し、さらに伝達ベルト２１３を介してこの払出しローラ２１０へ伝達される。
【００７３】
前記繰出しローラ２０３のプーリ２０３ａと送りローラ２０５のプーリ２０９ａの直径比の関係で、下流の送りローラ２０５の回転速度は、上流の繰出しローラ２０３の回転速度より大となっている。
【００７４】
前記送出しローラ２０２の外周には、円周方向の一部にだけ、ウレタンゴムのような摩擦力の大きい被覆体２０２ａが設けられていて、ストック板１２１の穴１２１ａから上方へは、この被覆体２０２ａのみが露出する。このため、送りローラ２０２の回転によって、この被覆体２０２ａがストック板１２１に積層された紙幣Ａのうちの最下位の紙幣を左方へ送る。
【００７５】
この紙幣は繰出しローラ２０３と圧接ローラ２０４に挟持されて湾曲通路２０１内へ引き込まれる。
繰出しローラ２０３の上部には静止した分離ローラ２１５が設けられていて、誤って、２枚重ねで紙幣が引き込まれようとすると、上側の紙幣に分離ローラ２１５が圧接して下側の紙幣と分離させて２枚重ねのまま引込まれるのを阻止する。
【００７６】
なお、この分離ローラ２１５は常に静止していると同一部分に紙幣の汚れが次第に付着するおそれがあるから、ワンウェイクラッチ（図示せず）で反時計回りに僅かな角度ずつ回して、同一部分での長時間の接触をなくしている。
【００７７】
紙幣は湾曲通路２０１内を送りローラ２０５と圧接ローラ２１８、２１９によって送られ、さらに払出しローラ２１０と圧接ローラ２２０によって、払出し口７３へ繰出される。
【００７８】
なお、下流の送りローラ２０５の回転速度は上流の繰出しローラ２０３の回転速度より大となっているから、紙幣が連続的に繰り出されると、前の紙幣と後の紙幣間の隙間が次第に広げられるようになっている。
【００７９】
払出しローラ２１０にはエンコーダ２１７が固定されていて、センサ（図示せず）でこのエンコーダ２１７の回転を検出して紙幣の通過枚数を検出する。
【００８０】
以上のように、遊戯島の複数の遊戯媒体貸出機から搬送装置によって水平方向に送られた紙幣は、紙幣回収払出し装置２０の受取り送出し装置４０で受取られて下方へ姿勢を変えて送り出され、蓄積払出し装置７０の受入れ部８０で受入れられてストック部１２０へ水平に引き込まれて積層され、両替要求に応じて払出し部７３へ繰り出される。
【００８１】
なお、ストック部１２０からの紙幣の払出しは、両替要求に限らず、他の払出し要求によって繰出すようにしてもよい。
【００８２】
前記したように、このストック部１２０では、紙幣送り込みの先端側の支柱ストッパ１３０の他に、紙幣送り込みの後端側にも整列用突出体１８０を設けることによって紙幣の先端と後端の双方を整列させることができる。
【００８３】
また、ストック板１２１に積層された紙幣を押さえる枠体１３８を、板バネ１７５で上方へ付勢して紙幣への押圧力を軽減しているので、繰出し動作が円滑になる。
【００８４】
【発明の効果】
以上説明したように、本発明の請求項１では、
遊戯島内で遊戯媒体貸出機から送り出され搬送されてくる紙幣を受け入れて紙幣の長手方向に搬送する紙幣搬送装置と、
ストック部のストック板に対して移動可能に設けられ、前記紙幣搬送装置によって搬送されてくる紙幣を取り込んで一時保留した後前記ストック部のストック板へ押し出し、且つ前記ストック部のストック板に積層された紙幣を押圧保持する紙幣一時保留装置と、
前記ストック部のストック板に積層された紙幣のうちの最下部の紙幣を繰り出して払出口へ必要に応じて繰り出す繰出し装置とを備えた紙幣回収払出し装置であって、
前記ストック部のストック板に蓄積される、紙幣の一端をはみ出さないように規制する整列用突出体を前記ストック板から出没自在に突出させ前記紙幣一時保留装置の前記ストック板への接近に伴って前記整列用突出体の突出長さを減少させるようにしている。
【００８５】
このようにしたので、紙幣の送込み側の後端を送込み動作に支障を生じることなくはみ出さないように規制することができる。
また、紙幣を店員がこのストック部に外から補充する場合も、紙幣の両側で規制されるから、きちんとセットできる。
【００８６】
また、本発明の請求項２では、
遊戯島内で遊戯媒体貸出機から送り出され搬送されてくる紙幣を受け入れて紙幣の長手方向に搬送する紙幣搬送装置と、
ストック部のストック板に対して移動可能に設けられ、前記紙幣搬送装置によって搬送されてくる紙幣を取り込んで一時保留した後前記ストック部のストック板へ押し出し、且つ前記ストック部のストック板に積層された紙幣を押圧保持する紙幣一時保留装置と、
前記ストック部のストック板に積層された紙幣のうちの最下部の紙幣を繰り出して払出口へ必要に応じて繰り出す繰出し装置とを備えた紙幣回収払出し装置であって、
前記紙幣一時保留装置を前記ストック部のストック板から離れる方向へ付勢する付勢手段を設けてストック部のストック板へ積層された紙幣への押圧力を軽減するようにしている。
【００８７】
このようにして押圧力を小さくしたので、摩擦力も小さくなり、円滑な繰出しができる。
【図面の簡単な説明】
【図１】本発明の概略構成図
【図２】本発明の一実施形態を示す斜視図
【図３】同実施形態を示す斜視図
【図４】同実施形態のロック機構を示す平面図
【図５】同実施形態のロック機構を示す平面図
【図６】同実施形態の受入れ部を示す分解斜視図
【図７】同実施形態の受入れ部を示す分解斜視図
【図８】同実施形態の受入れ部を示す斜視図
【図９】同実施形態の蓄積払出し装置を示す斜視図
【図１０】同実施形態のストック部の機構の要部を示す斜視図
【図１１】同実施形態のストック部の機構の要部を示す正面図
【図１２】同実施形態の蓄積払出し装置を示す斜視図
【図１３】同実施形態の蓄積払出し装置の機構を示す左側面図
【図１４】同実施形態の紙幣一時保留装置の動作原理を示す図
【図１５】同実施形態の紙幣一時保留装置の動作原理を示す図
【図１６】同実施形態の整列用突出体と突出板との関係を示す要部の斜視図
【図１７】同実施形態の繰出し部の動作説明図
【図１８】遊戯島の構成を示す概略図
【図１９】従来の紙幣回収払出し装置を示す概略構成図
【符号の説明】
４  紙幣搬送装置
２０  紙幣回収払出し装置
４０  受取り送出し装置
６０  ロック部材
７０  蓄積払出し装置
７１  ケース
７３  払出し口
８０  受入れ部
９０  本体
１１０  紙幣受入れ装置
１２０  ストック部
１２１  ストック板
１３０  支柱ストッパ
１３５  紙幣一時保留装置
１３８  枠体
１７０  押出し装置
１７４  ボビン
１７５  板バネ
１８０  整列用突出体
２００  繰出し部
【図１】
0004597344.tif 000002
【図２】
0004597344.tif 000003
【図３】
0004597344.tif 000004
【図４】
0004597344.tif 000005
【図５】
0004597344.tif 000006
【図６】
0004597344.tif 000007
【図７】
0004597344.tif 000008
【図８】
0004597344.tif 000009
【図９】
0004597344.tif 000010
【図１０】
0004597344.tif 000011
【図１１】
0004597344.tif 000012
【図１２】
0004597344.tif 000013
【図１３】
0004597344.tif 000014
【図１４】
0004597344.tif 000015
【図１５】
0004597344.tif 000016
【図１６】
0004597344.tif 000017
【図１７】
0004597344.tif 000018
【図１８】
0004597344.tif 000019
【図１９】
0004597344.tif 000020